(57)【要約】      （修正有）【課題】コンパクトでありかつコストを抑制できる、救命胴衣を提供する。【解決手段】救命胴衣１０は、胴衣本体１２を含む。胴衣本体１２は、上部本体１６と下部本体１８とを含む。上部本体１６の下部に複数の収容部が設けられ、かつ下部本体１８の下部に複数の収容部が設けられる。各収容部は、第１発泡材と第２発泡材とを相互に接触しないように収容する。収容部に対して外力を加えると、収容部から第１発泡材および第２発泡材が流出し、収容部の下方に位置する混合エリアにおいて第１発泡材と第２発泡材とが接触し反応して、発泡部材が生成される。【選択図】図１
2015217706.tif 000002
【特許請求の範囲】
【請求項１】
第１発泡材と第２発泡材とを反応させることによって発泡部材を生成する救命胴衣であって、
前記第１発泡材と前記第２発泡材とを相互に接触しないように収容する胴衣本体を備え、
前記胴衣本体に対して外力を加えると、前記胴衣本体内において前記第１発泡材と前記第２発泡材とが接触し反応することによって前記発泡部材が生成する、救命胴衣。
【請求項２】
前記胴衣本体内において前記第１発泡材と前記第２発泡材とを相互に接触しないように前記第１発泡材および前記第２発泡材のうち少なくともいずれか一方を収容する収容部をさらに備え、
前記収容部は、収容する発泡材を外力によって取り出し可能に構成される、請求項１に記載の救命胴衣。
【請求項３】
前記胴衣本体内の下部には、前記第１発泡材と前記第２発泡材とが混合する混合エリアが設けられる、請求項２に記載の救命胴衣。
【請求項４】
前記収容部は、下方に位置する第１部と前記第１部以外の第２部とを含み、前記第１部は前記第２部よりも開口容易に構成される、請求項３に記載の救命胴衣。
【請求項５】
前記胴衣本体内に複数の前記収容部を有する、請求項４に記載の救命胴衣。
【請求項６】
前記複数の収容部は前記胴衣本体内の下部に設けられる、請求項５に記載の救命胴衣。
【請求項７】
前記胴衣本体は、上部本体と、前記上部本体に接続される下部本体とを含み、
使用者の頭部を挿通可能な孔が前記上部本体と前記下部本体との間または前記上部本体に形成され、
前記上部本体の下部に前記複数の収容部が設けられ、かつ前記下部本体の下部に前記複数の収容部が設けられる、請求項６に記載の救命胴衣。
【発明の詳細な説明】
【技術分野】
【０００１】
この発明は救命胴衣に関し、より特定的には、津波発生時に使用する救命胴衣に関する。
【背景技術】
【０００２】
救命胴衣の一例が特許文献１において開示されている。特許文献１には、発泡樹脂の生成に用いる第１の発泡樹脂材料および第２の発泡樹脂材料を発泡樹脂充填装置の中で混合し、当該混合して成る混合材料を着衣式救命具の救命胴衣本体（袋体）の内部に充填する。これにより、当該充填した混合材料の発泡作用によって救命胴衣本体を膨張させ、救命胴衣本体の内部に固形化した発泡樹脂を形成することによって、着衣式救命具の外皮に破損を生じても、浮力の発生源である発泡樹脂が着衣式救命具の内部で固形物としてとどまるようにして、着衣式救命具の浮力を維持することができるようにしている。
【先行技術文献】
【特許文献】
【０００３】
【特許文献１】特開２０１１−２５８８１号公報
【発明の概要】
【発明が解決しようとする課題】
【０００４】
しかしながら、特許文献１に示す救命具は、２液性の発泡樹脂材料を同時に加圧する加圧手段を含むので、救命具が大きくなりかつコストが高くなってしまう。また、航空機や船舶での災害や事故を想定しているため、普段持ち運ぶことを想定していない。
【０００５】
それゆえにこの発明の主たる目的は、コンパクトでありかつコストを抑制できる、救命胴衣を提供することである。
【課題を解決するための手段】
【０００６】
上述の目的を達成するために、第１発泡材と第２発泡材とを反応させることによって発泡部材を生成する救命胴衣であって、第１発泡材と第２発泡材とを相互に接触しないように収容する胴衣本体を備え、胴衣本体に対して外力を加えると、胴衣本体内において第１発泡材と第２発泡材とが接触し反応することによって発泡部材が生成する、救命胴衣が提供される。
【０００７】
この発明では、第１発泡材および第２発泡材は相互に接触しないように胴衣本体内に収容されており、第１発泡材と第２発泡材とが接触するように胴衣本体に対して使用者が外力を加えると、第１発泡材と第２発泡材とが接触し反応して発泡部材が得られる。このように、第１発泡材および第２発泡材は胴衣本体の外部ではなく内部にあり、第１発泡材と第２発泡材とを接触させるための部材を別途備える必要もないので、コンパクトでありかつ安価な救命胴衣が得られる。このような救命胴衣は、未使用時には常に携帯でき、緊急時には誰でも即座に簡単に使用できるので、津波の発生時等に効果的に機能する。また、救命胴衣の胴衣本体が破れても、浮力材である発泡部材は固体であるので、浮力は失われない。
【０００８】
好ましくは、胴衣本体内において第１発泡材と第２発泡材とを相互に接触しないように第１発泡材および第２発泡材のうち少なくともいずれか一方を収容する収容部をさらに備え、収容部は、収容する発泡材を外力によって取り出し可能に構成される。この場合、胴衣本体内において第１発泡材と第２発泡材とを確実に分離でき、収容部に外力を加えることによって、第１発泡材と第２発泡材とを容易に混合することができる。
【０００９】
また好ましくは、胴衣本体内の下部には、第１発泡材と第２発泡材とが混合する混合エリアが設けられる。このように胴衣本体の下部に混合エリアがあれば、重力を利用して第１発泡材および第２発泡材を混合エリアに容易に導くことが可能となり、混合エリアにおいて第１発泡材と第２発泡材とを確実に混合することができる。
【００１０】
さらに好ましくは、収容部は、下方に位置する第１部と第１部以外の第２部とを含み、第１部は第２部よりも開口容易に構成される。この場合、収容部に外力を加えれば、収容部の下方に位置する第１部は開口しやすいので、発泡材を収容部の下方を通して混合エリアに容易に導くことができる。
【００１１】
好ましくは、胴衣本体内に複数の収容部を有する。このように胴衣本体内に複数の収容部を設けることによって、胴衣本体内の複数の箇所で第１発泡材と第２発泡材とが反応し発泡部材を生成できるので、発泡部材が胴衣本体内に偏在することを防止できる。
【００１２】
また好ましくは、複数の収容部は胴衣本体内の下部に設けられる。この場合、使用者が救命胴衣を着用した状態で収容部に対して外力を加えるとき、複数の収容部の位置を容易に認識でき容易に外力を加えることができるので、救命胴衣の使用が容易になる。
【００１３】
さらに好ましくは、胴衣本体は、上部本体と、上部本体に接続される下部本体とを含み、使用者の頭部を挿通可能な孔が上部本体と下部本体との間または上部本体に形成され、上部本体の下部に複数の収容部が設けられ、かつ下部本体の下部に複数の収容部が設けられる。この場合、胴衣本体の上部本体および下部本体のそれぞれの内部の複数の箇所で第１発泡材と第２発泡材とを反応させ発泡部材を生成できるので、発泡部材が胴衣本体内に偏在することを一層防止できる。また、使用者が救命胴衣を着用した状態で収容部に対して外力を加える場合、複数の収容部を容易に認識でき容易に外力を加えることができるので、救命胴衣の使用が容易になる。
【発明の効果】
【００１４】
この発明によれば、コンパクトでありかつコストを抑制できる救命胴衣が得られる。
【図面の簡単な説明】
【００１５】
【図１】この発明の一実施形態の救命胴衣を示す正面図である。
【図２】図１に示す救命胴衣のＡ−Ａ線断面図解図である。
【図３】第１発泡材および第２発泡材を収容する収容部の一例を示す図であり、（ａ）は正面図解図、（ｂ）は側面図解図である。
【図４】図１に示す救命胴衣の完成品を示す斜視図である。
【図５】図４に示す救命胴衣のＢ−Ｂ線断面図解図である。
【図６】（ａ）は救命胴衣が収容される容器の一例を示す図であり、（ｂ）は容器を開いた状態を示す図である。
【図７】（ａ）は容器ラベルによってラッピングされた容器を示す図であり、（ｂ）は容器の第１容器部と第２容器部との嵌合部近傍を示す断面図である。
【図８】救命胴衣の折り畳み方の一例を示す図解図である。
【図９】救命胴衣の折り畳み方の他の例を示す図解図である。
【図１０】救命胴衣が収容された容器の持ち運び態様を示す図である。
【図１１】救命胴衣の使用手順を示す図解図である。
【図１２】この発明の他の実施形態の救命胴衣を示す正面図である。
【図１３】図１２に示す実施形態のＣ−Ｃ線断面図解図である。
【図１４】第１発泡材および第２発泡材を収容する収容部の他の例を示す図であり、（ａ）は粉砕前、（ｂ）は粉砕後の状態を示す。
【図１５】第１発泡材および第２発泡材を収容する収容部のその他の例を示す図であり、（ａ）は破裂前、（ｂ）は破裂後を示す。
【発明を実施するための形態】
【００１６】
以下、図面を参照してこの発明の実施の形態について説明する。この発明では、使用者が救命胴衣を着用した状態における上下を、救命胴衣の上下と定義する。
【００１７】
図１を参照して、この発明の一実施形態の救命胴衣１０は、発泡式簡易浮体型の救命胴衣であり、胴衣本体１２と、胴衣本体１２に取り付けられるベルト１４ａ，１４ｂとを含む。胴衣本体１２は、略Ｕ字状の上部本体１６と、上部本体１６に接続される下部本体１８とを含む。使用者の頭部を挿通可能な孔２０が上部本体１６と下部本体１８との間に形成される。図２をも参照して、上部本体１６と下部本体１８との２箇所の接続部にはそれぞれ仕切り部２２ａ，２２ｂが形成され、下部本体１８の左右方向略中央部において下部本体１８の下端部から下部本体１８の略中心部近傍まで延びるように、仕切り部２４が形成される。仕切り部２２ａ，２２ｂによって上部本体１６と下部本体１８との間が略流通不能となり、仕切り部２４によって下部本体１８内の左右方向への流通が抑制される。これによって、胴衣本体１２内において発泡部材を偏在なく充填しやすくなる。また、仕切り部２４を設けることによって、ベルト１４ｂの取り付け強度を向上できる。仕切り部２２ａ，２２ｂおよび２４は、たとえば縫い合わせによって形成されてもよい。
【００１８】
また、上部本体１６の左右両側の下部２６ａ，２６ｂには、上部本体１６のその他の箇所とは異なる着色が施され、同様に、下部本体１８の左右両側の下部２８ａ，２８ｂには、下部本体１８のその他の箇所とは異なる着色が施される。これによって、収容部３２（後述）の位置を容易に把握できる。下部本体１８には、上下方向に延びる２本の反射板３０ａ，３０ｂが形成される。上部本体１６の下部２６ａ，２６ｂおよび下部本体１８の下部２８ａ，２８ｂのそれぞれの内部には、図３に示すような第１発泡材および第２発泡材の収容部３２が配置される。この実施形態では、４箇所に収容部３２が設けられる。図２を参照して、上部本体１６内の複数の収容部３２は、上部本体１６の下端部近傍において前部に取り付けられる。上部本体１６内の複数の収容部３２は、仕切り部２２ａ，２２ｂ近傍に設けられる。また、下部本体１８内の複数の収容部３２は、下部本体１８の下端部近傍において前部に取り付けられる。このように、胴衣本体１２内の下部に複数の収容部３２が設けられる。収容部３２を、上部本体１６内および下部本体１８内の上述の位置に設けることによって、救命胴衣１０の装着後の攪拌作業が容易になる。
【００１９】
図３に、第１発泡材および第２発泡材を収容する収容部３２を示す。収容部３２は、たとえばポリエチレン溶着袋からなり、正面視において五角形状（たとえばホームベース状）に形成される。収容部３２は、片手で握りつぶせるサイズを有することが好ましい。収容部３２内は、仕切り部３４によって、第１発泡材が収容（封入）される第１エリア３６ａと第２発泡材が収容（封入）される第２エリア３６ｂとに区画される。すなわち、第１発泡材と第２発泡材とは相互に接触せずかつ相互に横方向に隣り合うように収容部３２内に収容される。第１発泡材は、たとえばポリオールを含むウレタン液であり、第２発泡材は、たとえばイソシアネートを含むウレタン液である。言い換えれば、浮力材には、２液性の発泡部材が用いられる。第１発泡材と第２発泡材との組み合わせは、略３分間で発泡部材を生成可能な材料であることが好ましい。
【００２０】
また、図３（ａ）を参照して、収納部３２は、正面視の輪郭を形成する５辺に相当する上部３８ａ、２つの側部３８ｂ，３８ｃ、および下部３８ｄ，３８ｅを有し、そのうち、下部３８ｄ，３８ｅは、上部３８ａ、側部３８ｂ，３８ｃよりも、外力によって開口容易に形成される。仕切り部３４、上部３８ａ、側部３８ｂ，３８ｃ、および下部３８ｄ，３８ｅは、たとえば溶着され、これによって、第１エリア３６ａおよび第２エリア３６ｂは密閉空間となる。このように収容部３２の外周（この実施形態では、輪郭を形成する５辺）を溶着することによって、収容部３２をコンパクトにかつ所望の形状に形成できる。また、収容部３２の内表面をコーティングすれば、収容部３２からの排出時に第１発泡材および第２発泡材が収容部３２の内面に付着することを抑制できる。この実施形態では、収納部３２の第１部は下部３８ｄ，３８ｅを含み、収容部３２の第２部は上部３８ａおよび側部３８ｂ，３８ｃを含む。
【００２１】
図１および図２を参照して、上部本体１６内の左右両側の下部（この実施形態では、下端部）にそれぞれ混合エリア４０が設けられ、下部本体１８内の左右両側の下部（この実施形態では、下端部）に混合エリア４２が設けられる。このように、胴衣本体１２内の下部に複数の混合エリア４２が設けられる。また、各混合エリア４０，４２は収容部３２の下方に位置する。
【００２２】
第１発泡材と第２発泡材とが収容された収容部３２を握りつぶすと、収容部３２が破れ、第１発泡材および第２発泡材は収容部３２から流出する。特に、収容部３２において下部３８ｄおよび３８ｅが他の箇所より破れやすいので、第１発泡材および第２発泡材は下部３８ｄおよび３８ｅから下方に流出する。すると、第１発泡材および第２発泡材は、上部本体１６内の混合エリア４０、および下部本体１８内の混合エリア４２に溜まる。上部本体１６の外部から混合エリア４０を揉むと、混合エリア４０に溜まった第１発泡材および第２発泡材が混合され反応し、発泡部材が生成され、上部本体１６の内部全体に充填される。同様に、下部本体１８の外部から混合エリア４２を揉むと、混合エリア４２に溜まった第１発泡材および第２発泡材が混合され反応し、発泡部材が生成され、下部本体１８の内部全体に充填される。すると、救命胴衣１０は図４に示すように膨らむ。
【００２３】
このように、収容部３２は、外力によって第１発泡材および第２発泡材を取り出し可能に構成される。そして、胴衣本体１２に対して外力を加えると、胴衣本体１２内において第１発泡材と第２発泡材とが接触し反応することによって発泡部材が生成される。この実施形態では、発泡部材として発泡ウレタンが生成され、発泡ウレタンの体積は、第１発泡材および第２発泡材の体積の合計の略３０倍になる。
【００２４】
図５を参照して、胴衣本体１２の上部本体１６および下部本体１８は、外側に位置する外部材４４と、内側に位置する内部材４６との２層構造からなり、比較的薄い素材からなることが好ましい。外部材４４は、たとえばＥＶＡ樹脂等の合成樹脂材や、たとえばポリアミド繊維等の合成繊維材を含む。内部材４６は、外部材４４の内面に形成される防水性のコーティング材からなる。
【００２５】
外部材４４として合成樹脂材を用いることによって、薄いが強度が大きく伸びにくい胴衣本体１２を形成でき、内部材４６としてコーティング材を用いることによって、第１発泡材および第２発泡材の攪拌時の漏れを防止できる。
【００２６】
図１に戻って、手順を指示するために、上部本体１６の中央部には、「２  かぶる」と表示されたラベル４８、上部本体１６の下部２６ａ，２６ｂには、「５  つぶす  もむ」と表示されたラベル５０ａ，５０ｂ、下部本体１８の下部２８ａ，２８ｂには、「６  つぶす  もむ」と表示されたラベル５２ａ，５２ｂが取り付けられる。ベルト１４ａ，１４ｂにはそれぞれ、「３  しめる」と表示されたラベル５３が取り付けられる。なお、胴衣本体１２には、手順指示の「１  ラベルをはがす」および「４  ベルトを調整する」の表示はないが、これらは、容器５４にラッピングされる容器ラベル６６（後述）に表示される。
【００２７】
ベルト１４ａ，１４ｂはたとえばバックル式ベルトであり、ベルト１４ａの両端部は、下部本体１８の背面の左右両側に接続され、ベルト１４ｂの両端部は、上部本体１６の背面の上部と下部本体１８の背面の下部とに接続される。
【００２８】
このような救命胴衣１０は、図６に示すような容器５４に収容される。
容器５４は、たとえば両端が半球状に形成された円筒部材からなるカプセル形状を有する。容器５４は、５００ｍｌのペットボトルや缶と同等のサイズに形成されることが好ましい。また、救命胴衣１０収納時の容器５４の質量は、５００ｇ程度の軽量であることが好ましい。このように構成すれば、救命胴衣１０が収納された容器５４の持ち運びが容易になる。容器５４は、第１容器部５６ａと第２容器部５６ｂとを含む。第１容器部５６ａと第２容器部５６ｂとは、容器５４を２分割したような細長い形状を有し、それぞれの端縁が長円状に形成される。第１容器部５６ａと第２容器部５６ｂとは、長手方向に延びる一方側で接続され、周方向（矢印Ｒ方向）に開閉自在に構成される。第１容器部５６ａは、舌状かつ薄肉状の嵌合凸部５８ａと、薄肉状の嵌合凹部６０ａとを有し、嵌合凸部５８ａには貫通孔６２ａが形成され、嵌合凹部６０ａには突部６４ａが形成される。第２容器部５６ｂは、舌状かつ薄肉状の嵌合凸部５８ｂと、薄肉状の嵌合凹部６０ｂとを有し、嵌合凸部５８ｂには貫通孔６２ｂが形成され、嵌合凹部６０ｂには突部６４ｂが形成される。突部６４ｂが貫通孔６２ａに挿入されて嵌合凸部５８ａと嵌合凹部６０ｂとが嵌合され、かつ突部６４ａが貫通孔６２ｂに挿入されて嵌合凸部５８ｂと嵌合凹部６０ａとが嵌合されることによって、第１容器部５６ａおよび第２容器部５６ｂ、すなわち容器５４が閉じられる。図７（ｂ）を参照して、嵌合凸部５８ａと嵌合凹部６０ｂとの厚みの合計が、第１容器部５６ａ（第２容器部５６ｂ）の厚みに相当する。同様に、嵌合凸部５８ｂと嵌合凹部６０ａとの厚みの合計が、第１容器部５６ａ（第２容器部５６ｂ）の厚みに相当する。これによって、容器５４が閉じられたとき、第１容器部５６ａと第２容器部５６ｂとは面一になる。
【００２９】
容器５４をこのように構成することによって、開け口を広くでき、収納された救命胴衣１０の取り出しが容易になる。また万一、容器５４に収容された救命胴衣１０において第１発泡材と第２発泡材とが反応して発泡部材が生成されても、容器５４を開けることによって対処することができる。
【００３０】
図７（ａ）を参照して、内部に救命胴衣１０が収容されかつ閉じられた容器５４の胴部は、容器ラベル６６によってラッピングされる。容器ラベル６６には、たとえば救命胴衣１０の使用手順が記載される。たとえば、「１  ラベルをはがす」、「２  胴衣をかぶる」、「３  ベルトを腰・股に回しバックルを留める」、「４  ベルトを調節する」、「５  を潰して揉む」、「６  を潰して揉む」といった手順が記載される。また、容器ラベル６６でラッピングすることによって、不使用時に容器５４が開くことを防止できる。
【００３１】
ついで、図８を参照して、救命胴衣１０の畳み方の一例について説明する。
まず、図８（ａ）に示すように救命胴衣１０を広げた状態から、破線Ｌ１の位置で上部本体１６を下部本体１８側に折り曲げ、図８（ｂ）に示すように上部本体１６を下部本体１８上に載せる。そして、破線Ｌ２に対して直交する方向に救命胴衣１０を巻いて筒状にし、図８（ｃ）に示すようにベルト１４を巻きつける。その状態で、容器５４に収納する。なお、図８および図９では、図面の煩雑化を避けるためにベルト１４ｂは図示されていない。
【００３２】
図９を参照して、救命胴衣１０の畳み方の他の例について説明する。
まず、図９（ａ）に示すように救命胴衣１０を広げた状態から、破線Ｌ３およびＬ４の位置で上部本体１６の両側を内側に折り曲げ、図９（ｂ）に示す状態にする。そして、破線Ｌ５に対して直交する方向に、下部本体１８側からベルト１４とともに救命胴衣１０を巻いて、図９（ｃ）に示すように筒状にし、その状態で、容器５４に収納する。
【００３３】
容器５４を５００ｍｌのペットボトルや缶と同等のサイズのカプセル形状にすることによって、救命胴衣１０が収納された容器５４は、たとえば図１０（ａ）に示すように鞄６８の側面に設けられた既存のボトル保持部７０に収納して容易に携帯できる。また、容器５４は、たとえば図１０（ｂ）に示すような既存の単独のボトルホルダ７２に収納して容易に携帯できる。このように、救命胴衣１０が収納された容器５４は、既存の物を用いて持ち運ぶことができる。また、容器５４をカプセル形状にすることによって、容器５４の構造を丈夫にできる。
【００３４】
さらに、図１１を参照して、救命胴衣１０の使用手順の一例について説明する。
まず、図１１（ａ）に示すように携帯した容器５４から、図１１（ｂ）に示すように救命胴衣１０を取り出し、図１１（ｃ）に示すように着用する。このとき、胴衣本体１２の孔２０に使用者の頭部を通し、ベルト１４ａを使用者の腰などの胴体に巻きつけて締め、ベルト１４ｂを使用者の股に通して締める。ついで、救命胴衣１０の４箇所の収容部３２を握り潰して、収容部３２から混合エリア４０，４２へ第１発泡材と第２発泡材とを流出させる。そして、上部本体１６の外側から２箇所の混合エリア４０を揉んで、第１発泡材と第２発泡材とを攪拌させ、上部本体１６内に発泡部材を充填させる。同様に、下部本体１８の外側から２箇所の混合エリア４２を揉んで、第１発泡材と第２発泡材とを攪拌させ、下部本体１８内に発泡部材を充填させる。攪拌方法は任意でよいが、胸元の収容部３２については、両腕を組むようにして、各腕によって遠い方の胸元の収容部３２を潰しかつ混合エリア４０を揉むと、攪拌作業が円滑になる。攪拌作業では、各混合エリア４０，４２につき３０回〜４０回揉むことが好ましい。上部本体１６および下部本体１８内において発泡部材が硬化すると、図１１（ｄ）に示すように救命胴衣１０が短時間で使用可能状態となる。救命胴衣１０によれば、人体の急所を保護することができる。具体的には、上部本体１６によって頸椎、下部本体１８によって心臓および鳩尾等を保護できる。
【００３５】
このような救命胴衣１０によれば、第１発泡材および第２発泡材は相互に接触しないように胴衣本体１２内に収容されており、第１発泡材と第２発泡材とが接触するように胴衣本体１２に対して使用者が手もみ等によって外力を加えると、第１発泡材と第２発泡材とが接触し反応して発泡部材が得られる。このように、第１発泡材および第２発泡材は胴衣本体１２の外部ではなく内部にあり、第１発泡材と第２発泡材とを接触させるための部材を別途備える必要もないので、コンパクトでありかつ安価な救命胴衣１０が得られる。このような救命胴衣１０は、未使用時には常に携帯でき、緊急時には誰でも即座に簡単に使用できるので、津波の発生時等に効果的に機能する。また、救命胴衣１０の胴衣本体１２が破れても、浮力材である発泡部材は固体であるので、浮力は失われない。
【００３６】
第１発泡材および第２発泡材を相互に接触しないように収容部３２に収容することによって、胴衣本体１２内において第１発泡材と第２発泡材とを確実に分離でき、収容部３２に外力を加えることによって、第１発泡材と第２発泡材とを容易に混合することができる。
【００３７】
胴衣本体１２内の下部には、第１発泡材と第２発泡材とが混合する混合エリア４２が設けられる。このように胴衣本体１２の下部に混合エリア４２があれば、重力を利用して第１発泡材および第２発泡材を混合エリア４２に容易に導くことが可能となり、混合エリア４２において第１発泡材と第２発泡材とを確実に混合することができる。混合エリア４０についても同様である。
【００３８】
収容部３２の下部３８ｄ，３８ｅは、上部３８ａ、側部３８ｂ，３８ｃよりも開口容易に構成されるので、収容部３２に外力を加えれば、収容部３２の下部３８ｄ，３８ｅは開口しやすい。したがって、発泡材を収容部３２の下方を通して混合エリア４０，４２に容易に導くことができる。
【００３９】
胴衣本体１２内に複数の収容部３２を設けることによって、胴衣本体１２内の複数の箇所で第１発泡材と第２発泡材とが反応し発泡部材を生成できるので、発泡部材が胴衣本体１２内に偏在することを防止できる。
【００４０】
複数の収容部３２が胴衣本体１２内の下部に設けられるので、使用者が救命胴衣１０を着用した状態で収容部３２に対して外力を加えるとき、複数の収容部３２の位置を容易に認識でき容易に外力を加えることができる。したがって、救命胴衣１０の使用が容易になる。
【００４１】
胴衣本体１２の上部本体１６および下部本体１８のそれぞれの内部の複数の箇所で第１発泡材と第２発泡材とを反応させ発泡部材を生成できるので、発泡部材が胴衣本体１２内に偏在することを一層防止できる。また、使用者が救命胴衣１０を着用した状態で収容部３２に対して外力を加える場合、複数の収容部３２を容易に認識でき容易に外力を加えることができるので、救命胴衣１０の使用が容易になる。使用者が救命胴衣１０を着用した状態において、上部本体１６内の２つの収容部３２は、使用者の胸付近に位置するので、揉みやすく首廻りに発泡部材を充填させることができる。
【００４２】
なお、図１に示す救命胴衣１０では、救命胴衣１０の上部本体１６と下部本体１８とは仕切り部２２ａ，２２ｂによって仕切られていたが、この発明はこれに限定されない。たとえば、図１２に示す救命胴衣１０ａの胴衣本体１２ａのように、上部本体１６と下部本体１８とを仕切るための仕切り部２２ａ，２２ｂは設けられず、上部本体１６と下部本体１８とが流通可能に形成されてもよい。この場合、たとえば、図１３に示すように、収容部３２ａは、救命胴衣１０ａの下部近傍に形成され、図１に示す救命胴衣１０の収容部３２より大きく形成される。混合エリア４２ａは収容部３２ａの下方に位置する。図１２に示すように救命胴衣１０ａでは、下部本体１８の下部２８ａ，２８ｂに、「５  つぶす  もむ」と表示されたラベル５０ａ，５０ｂが取り付けられる。図１２において、救命胴衣１０と同様の構成については救命胴衣１０と同一の符号を付すことによって、その重複する説明は省略する。
【００４３】
救命胴衣１０ａにおいても、救命胴衣１０と同様の効果が得られる。
なお、救命胴衣において、使用者の頭部が挿通可能な孔は、救命胴衣の上部本体に形成されてもよい。
【００４４】
上述の実施形態では、第１発泡材および第２発泡材がともに収容部に収容されたが、これに限定されない。胴衣本体内において第１発泡材と第２発泡材とを相互に接触しないように保持できるのであれば、第１発泡材および第２発泡材の少なくともいずれか一方のみが収容部に収容されるように構成されてもよい。この場合であっても、胴衣本体内において第１発泡材と第２発泡材とを確実に分離でき、収容部に外力を加えることによって、第１発泡材と第２発泡材とを容易に混合することができる。
【００４５】
上述の実施形態では、収容部３２は、たとえばポリエチレン溶着袋からなり、収容部３２を握りつぶすことによって収容部３２から第１発泡材および第２発泡材を排出させ、混合する場合について説明したが、これに限定されない。
【００４６】
図１４を参照して、たとえば粉砕可能なガラス等の脆性材料からなる円筒状の収容部７４内に第１発泡材および第２発泡材を収容し、使用時に収容部７４ごと粉砕することによって第１発泡材と第２発泡材とを混合させるようにしてもよい。このように収容部７４を破片にすることによって、収容部７４に付着した一方の発泡材を他方の発泡材に接触させることができ、未反応の発泡材を極力減らすことができる。
【００４７】
また、図１５を参照して、たとえば破裂可能なゴム風船状の収容部７６ａ，７６ｂ内にそれぞれ第１発泡材および第２発泡材を収容し、使用時に収容部７６ａ，７６ｂを破裂させることによって第１発泡材と第２発泡材とを混合させるようにしてもよい。このように収容部７６ａ，７６ｂを破裂させ、収容部７６ａ，７６ｂの表面積が小さくすることによって、収容部７６ａ，７６ｂに残存する第１発泡材および第２発泡材を減らすことができる。
【００４８】
図１に示す救命胴衣１０はベルト１４ｂを含むが、ベルト１４ｂは必ずしも設けられなくともよい。
【符号の説明】
【００４９】
１０，１０ａ      救命胴衣
１２，１２ａ      胴衣本体
１４ａ，１４ｂ      ベルト
１６      上部本体
１８      下部本体
２０      孔
２２ａ，２２ｂ，２４，３４      仕切り部
３２，３２ａ，７４，７６ａ，７６ｂ      収容部
４０，４２，４２ａ      混合エリア
３８ａ      収容部の上部
３８ｂ，３８ｃ      収容部の側部
３８ｄ，３８ｅ      収容部の下部
５４      容器
６６      容器ラベル
【図１】
2015217706.tif 000003
【図２】
2015217706.tif 000004
【図３】
2015217706.tif 000005
【図４】
2015217706.tif 000006
【図５】
2015217706.tif 000007
【図６】
2015217706.tif 000008
【図７】
2015217706.tif 000009
【図８】
2015217706.tif 000010
【図９】
2015217706.tif 000011
【図１０】
2015217706.tif 000012
【図１１】
2015217706.tif 000013
【図１２】
2015217706.tif 000014
【図１３】
2015217706.tif 000015
【図１４】
2015217706.tif 000016
【図１５】
2015217706.tif 000017